(57)【要約】【課題】  一般の階層の床高さとは異なる高さの床を備える住宅の床配置を、複数の床配置プランとして立体的に表示可能として容易に見比べることを可能にする床配置表示ツールを提供する。【解決手段】  本発明の床配置表示ツール１０は、住宅建築物の外形を模した形状を有する中空箱体であって、一立辺２０を挟んだ両側の側面板１２ａ，１２ｂの中央部分を切断線１３ａ，１３ｂに沿って切断することにより略４半部分を切り欠いた外郭体１５と、外郭体１５の内部に収容されて回動すると共に、中心軸１６から径方向に延設する仕切板１７によって仕切られた複数の床配置区画１８ａ〜１８ｄを備える回転表示体１９とからなる。外郭体１５の側面板１２ａ，１２ｂの残りの部分には、住宅の基準床配置２２が表示され、回転表示体１９の複数の床配置区画１８ａ〜１８ｄには、各々異なる床配置プランが、複数の板片２３を所定の高さに取り付けて立体的に表示されている。【選択図】      図１
2006071676.tif 000002
【特許請求の範囲】
【請求項１】
上端に屋根部を備えることにより住宅建築物の外形を模した形状を有する角柱形状の中空箱体であって、一立辺を挟んだ両側の側面板の中央部分を該立辺と平行な切断線で切断すると共に、該切断線の延長線に沿って屋根部を切断することにより、周壁部及び屋根部の略４半部分を切り欠いた外郭体と、
該外郭体の内部に収容されて前記角柱形状の中心軸を中心に回動すると共に、前記中心軸から切断前の前記側面板の略１／２の長さで径方向に延設する仕切板によって仕切られた複数の床配置区画を備える回転表示体とからなり、
前記外郭体の前記切断線によって切り欠かれた側面板の残りの部分には、住宅の基準外観又は基準床配置が表示され、前記回転表示体の前記複数の床配置区画には、各々異なる床配置プランが、複数の板片を所定の高さに取り付けて立体的に表示されている床配置表示ツール。
【請求項２】
前記回転表示体は、前記屋根部を着脱して前記外郭体に交換可能に収容される請求項１記載の床配置表示ツール。
【発明の詳細な説明】
【技術分野】
【０００１】
本発明は、床配置表示ツールに関し、特に中２階、地階、小屋裏、ロフト、スキップフロア等を含むことにより、一般の階層の床高さとは異なる高さの床を備える住宅の床配置を表示するための床配置表示ツールに関する。
【背景技術】
【０００２】
住宅のモデルプランを複数同じ表示面に表示して、ユーザーや新規購入者に住宅の特徴や設計思想等を説明しやすくする表示物が開発されている（例えば、特許文献１）。特許文献１の住宅のモデルプランを表示した表示物によれば、複数種類のモデルプランを見比べつつ、各モデルプランの特徴を速やかに理解して、例えばニーズに合ったモデルプランをユーザーに選んでもらうことにより、ユーザーのニーズを的確に把握することができ、またユーザーのニーズに合った住宅プランを迅速かつ効果的に選び出すことが可能になる。
【特許文献１】特開２００２−１７５０１６号公報
【発明の開示】
【発明が解決しようとする課題】
【０００３】
一方、近年の住宅需要の多様化により、例えば２階建て住宅や３階建て住宅等において、一般の階層の床高さとは異なる高さに配置された床を備える住宅が種々提案されている。このような住宅は、中２階、地階、小屋裏、ロフト、スキップフロア等を含むものであり、これらによって、デザイン性に富んだ多様な屋内空間を提供することや、効率的且つ機能的な屋内空間を提供することが可能になる。
【０００４】
しかしながら、一般の階層の床高さとは異なる高さに配置された床を含む複数の住宅のプランをユーザーや新規購入者等に説明したり、複数のプランから最適のプランを選択させる場合に、上記従来の表示物では、住宅の特徴や設計思想等を充分に理解させることは困難だった。すなわち、上記従来の表示物によれば、住宅のモデルプランを複数同じ表示面に表示するものではあるが、表示される写真や間取り図は、平坦な表示面において表出されるものであるため、住宅の特徴部分である一般の床高さとは異なる高さに配置される床については、その立体的な位置関係を充分に理解させることは困難だった。また、住宅の間取り図は、１階部分、２階部分、３階部分等における各階層毎の断面として平面的に描かれるものであるため、これらの間取り図からは、一般の床高さとは異なる高さに配置される床の、他の床との位置関係等を視覚的に正確に把握させることは困難だった。
【０００５】
本発明は、一般の階層の床高さとは異なる高さの床を備える住宅の床配置を、複数の床配置プランとして立体的に表示可能とし、これらを見比べながら、床配置に関するユーザーのニーズを的確に把握したり、ユーザーのニーズに合った床配置プランを迅速かつ効果的に選び出すことを可能にする床配置表示ツールを提供することを目的とする。
【課題を解決するための手段】
【０００６】
本発明は、上端に屋根部を備えることにより住宅建築物の外形を模した形状を有する角柱形状の中空箱体であって、一立辺を挟んだ両側の側面板の中央部分を該立辺と平行な切断線で切断すると共に、該切断線の延長線に沿って屋根部を切断することにより、周壁部及び屋根部の略４半部分を切り欠いた外郭体と、該外郭体の内部に収容されて前記角柱形状の中心軸を中心に回動すると共に、前記中心軸から切断前の前記側面板の略１／２の長さで径方向に延設する仕切板によって仕切られた複数の床配置区画を備える回転表示体とからなり、前記外郭体の前記切断線によって切り欠かれた側面板の残りの部分には、住宅の基準外観又は基準床配置が表示され、前記回転表示体の前記複数の床配置区画には、各々異なる床配置プランが、複数の板片を所定の高さに取り付けて立体的に表示されている床配置表示ツールを提供することにより、上記目的を達成したものである。
【０００７】
また、本発明の床配置表示ツールは、前記回転表示体が、前記屋根部を着脱して前記外郭体に交換可能に収容されるものであることが好ましい。
【発明の効果】
【０００８】
本発明の床配置表示ツールによれば、一般の階層の床高さとは異なる高さの床を備える住宅の床配置を、複数の床配置プランとして立体的に表示可能とすることにより、これらを見比べながら、床配置に関するユーザーのニーズを的確に把握したり、ユーザーのニーズに合った床配置プランを迅速かつ効果的に選び出すことができる。
【発明を実施するための最良の形態】
【０００９】
図１及び図２に示す本発明の好ましい一実施形態に係る床配置表示ツール１０は、例えば２階建ての住宅建築物として、一般の階層の床高さとは異なる高さに配置された床を備える住宅を設計したり、このような床配置に特徴を有する住宅を、ユーザーや新規購入者等に説明する際に用いるものである。
【００１０】
また、本実施形態によれば、設計される住宅は、例えば枠組み壁工法によるユニュト住宅であって、予め工場等において製作された複数の住宅ユニットを、建築施工現場において組付けて接合一体化することにより、２階建ての住宅建築物として形成されるものである。さらに、本実施形態によれば、設計される住宅は、基礎によって囲まれる床下部分の空間を、居室空間の一部として有効利用することにより、２階建ての住宅建築物としての高さを保持したまま、例えば階高が２４０〜３５０ｃｍの１階や２階の一般の居室部分に加えて、例えば１００〜２５０ｃｍ程度の高さの中２階やロフト部分等を、これらの居室部分の上方領域、中間領域、又は下方領域に、付加的な居室空間として形成できるようにしたものである。
【００１１】
そして、本実施形態の床配置表示ツール１０は、上端に屋根部１１を備えることにより住宅建築物の外形を模した形状を有する角柱形状の中空箱体であって、一立辺２０（切断前の角柱形状における一立辺）を挟んだ両側の側面板１２ａ，１２ｂの中央部分を該立辺２０と平行な切断線１３ａ，１３ｂで切断すると共に、該切断線１３ａ，１３ｂの延長線に沿って屋根部１１を切断することにより、周壁部１４及び屋根部１１の略４半部分を切り欠いた外郭体と１５、この外郭体１５の内部に収容されて角柱形状の中心軸１６を中心に回動すると共に、中心軸１６から切断前の側面板１２ａ，１２ｂの略１／２の長さで径方向に延設する仕切板１７によって仕切られた複数（本実施形態では４箇所）の床配置区画１８ａ，１８ｂ，１８ｃ，１８ｄ（図３〜図１０参照）を備える回転表示体１９とによって構成される。また外郭体１５の切断線１３ａ，１３ｂによって切り欠かれた側面板１２ａ，１２ｂの残りの部分には、住宅の基準外観２１又は基準床配置２２が表示され、回転表示体１９の複数の床配置区画１８ａ，１８ｂ，１８ｃ，１８ｄには、各々異なる床配置プランが、複数の板片２３を所定の高さに取り付けて立体的に表示されている。
【００１２】
さらに、本実施形態によれば、回転表示体１９は、屋根部１１を着脱して外郭体１５に交換可能に収容されている。
【００１３】
本実施形態の床配置表示ツール１０を構成する外郭体１５は、例えば合成樹脂製の板やダンボール板等からなり、例えば縦横２００〜４００ｍｍ程度の平面形状が正方形の底盤部２４と、高さが２００〜４００ｍｍ程度の４方の側面板１２ａ，１２ｂ，１２ｃ，１２ｄによる周壁部１４とからなる、略４半部分が切り欠かれ、上面が開口面となった中空の４角柱形状を備えている。また開口面を覆うようにして屋根部１１が取り付けられている。ここで、屋根部１１は、扁平な正４角錐形状を備えており、その下端周縁部分が４方の側面板１２ａ，１２ｂ，１２ｃ，１２ｄよりも外方に張り出して軒を形成するように配置されると共に、外郭体１５に着脱可能に取り付けられている。
【００１４】
また、外郭体１５は、４角柱形状の一立辺２０を挟んだ両側の側面板１２ａ，１２が屋根部１１と共に切断線１３ａ，１３ｂを介して切断されて、その略４半部分が切り欠かれていることにより、この切り欠き部分３１を介して内部を視認することができるようになっており、これによって、側面板１２ａ，１２の残りの部分に表示された住宅の基準外観２１や基準床配置２２と、内部に収容された回転表示体１９による床配置プランとを、容易に比較することができるようになっている。
【００１５】
ここで、本実施形態によれば、一立辺２０を挟んだ一方の側面板１２ａに表示された基準床配置２２は、基礎、根太、床下地材、天井下地材等の配置が描かれることによって、１階部分及び２階部分における床高さの標準位置を示すものであり、これらの床高さと、回転表示体１９による各床配置プランにおける床高さとを立体的に比較させることにより、各床配置プランの特徴的な床配置を容易且つ効果的に把握させることが可能になる。
【００１６】
一立辺２０を挟んだ他方の側面板１２ｂに表示された基準外観２１は、住宅建築物の一般的な外観として、例えば玄関やバルコニー、窓等を含んだ外観を表示するものであり、これらによって１階部分及び２階部分における床高さの標準位置を容易に推測させ、標準的な床高さと、回転表示体１９による各床配置プランにおける床高さとを立体的に比較させることにより、各床配置プランの特徴的な床配置を容易且つ効果的に把握させることが可能になる。
【００１７】
本実施形態の床配置表示ツール１０を構成する回転表示体１９は、例えば角柱形状の外郭体１５の中心軸１６に沿って外郭体１５を上下に貫通するように配置される回転軸２５（図２参照）と、底盤部２４の上面に沿って回転スライド可能に配置される、底盤部２４の内接円よりもやや小さい円盤形状を有する回転基盤プレート２６と、回転基盤プレート２６から立設すると共に、回転軸２５において交差して十字形状に配置される一対の仕切板１７とによって構成される。また、十字形状に配置される一対の仕切板１７は、中心軸１６から側面板１２ａ，１２ｂの略１／２の長さで径方向に延設して、回転表示体１９を４箇所の床配置区画１８ａ，１８ｂ，１８ｃ，１８ｄに仕切っており、各床配置区画１８ａ，１８ｂ，１８ｃ，１８ｄには、後述するように、板片２３を所定の高さに取り付けることによって、異なる床配置プランが立体的に表示されている。
【００１８】
なお、本実施形態によれば、設計される住宅は、基礎２７によって囲まれる床下部分の空間を、居室空間の一部として有効利用するものであり、外郭体１５の底盤部２４の上面は、基準床配置２２おける、基礎２７の内側の底盤コンクリート２８の上面と合致する高さ位置に配置されている。また、仕切板１７によって仕切られる床配置区画１８ａ，１８ｂ，１８ｃ，１８ｄには、床下地材２９と合致する高さ位置に、基準床配置表示片３０が適宜設けられており、この基準床配置表示片３０によって、床配置プランにおける床高さとの比較を、さらに容易に行うことができるようになっている。
【００１９】
上述のような構成を備える本実施形態の床配置表示ツール１０を用いて、床配置に特徴を有する住宅を、ユーザーや新規購入者等に説明するには、例えば図１に示すように、一対の仕切板１７の先端縁部が側面板１２ａ，１２ｂの切断線１３ａ，１３ｂに沿った位置に来るように回転表示体１９を回転移動させて、外郭体１５の切り欠き部分３１に第１床配置区画１８ａが臨むように配置する。ここで、第１床配置区画１８ａにおける床配置プランは、１階の居室部分３２ａの下方に、一般の階高に満たない高さの収納スペース３２ｂを設けると共に、２階の居室部分３２ｃの上方にロフト３２ｄを設けたものであり、これに伴って、１階の居室部分３２ａ及び２階の居室部分３２ｃの床面が、一般の床高さよりも高く配置されることが、両側の基準外観２１や基準床配置２２との対比によって、立体的に一目瞭然に把握することが可能になる。
【００２０】
次に、例えば図３及び図４に示すように、回転表示体１９を外郭体１５に対して時計回りに９０度回転させると共に、一対の仕切板１７の先端縁部を側面板１２ａ，１２ｂの切断線１３ａ，１３ｂに沿わせることにより、外郭体１５の切り欠き部分３１に第２床配置区画１８ｂが臨むように回転表示体１９を配置する。ここで、第２床配置区画１８ｂにおける床配置プランは、１階の居室部分３３ａの下方に、一般の階高に満たない高さの収納スペース３３ｂを設けると共に、２階の居室部分３３ｃの上方を吹き抜けとしたものであり、これに伴って、１階の居室部分３３ａの床面が、一般の床高さよりも高く配置されることが、両側の基準外観２１や基準床配置２２との対比によって、立体的に一目瞭然に把握することが可能になる。
【００２１】
また、例えば図５及び図６に示すように、回転表示体１９を外郭体１５に対して時計回りにさらに９０度回転させると共に、一対の仕切板１７の先端縁部を側面板１２ａ，１２ｂの切断線１３ａ，１３ｂに沿わせることにより、外郭体１５の切り欠き部分３１に第３床配置区画１８ｃが臨むように回転表示体１９を配置する。ここで、第３床配置区画１８ｃにおける床配置プランは、１階の居室部分３４ａと２階の居室部分３４ｃとの間に、一般の階高に満たない高さの収納スペース３４ｂを設けたものであり、これに伴って、１階の居室部分３４ａの床面及び天井面が、一般の床高さや天井高さよりも低く配置されることが、両側の基準外観２１や基準床配置２２との対比によって、立体的に一目瞭然に把握することが可能になる。
【００２２】
さらに、例えば図７及び図８に示すように、回転表示体１９を外郭体１５に対して時計回りにさらに９０度回転させると共に、一対の仕切板１７の先端縁部を側面板１２ａ，１２ｂの切断線１３ａ，１３ｂに沿わせることにより、外郭体１５の切り欠き部分３１に第４床配置区画１８ｄが臨むように回転表示体１９を配置する。ここで、第４床配置区画１８ｄにおける床配置プランは、１階の居室部分３５ａと２階の居室部分３５ｃとの間に、一般の階高に満たない高さの収納スペース３５ｂを、その高さを出来るだけ高くしてた状態で設けたものであり、これに伴って、１階の居室部分３５ａの床面及び天井面が、一般の床高さや天井高さよりも低く配置されると共に、２階の居室部分３５の床面が、一般の床高さよりも高く配置されることが、両側の基準外観２１や基準床配置２２との対比によって、立体的に一目瞭然に把握することが可能になる。
【００２３】
さらにまた、例えば図９に示すように、回転表示体１９を外郭体１５に対して時計回りにさらに９０度回転させると共に、一対の仕切板１７の先端縁部を側面板１２ａ，１２ｂの切断線１３ａ，１３ｂに沿わせることにより、例えば図１に示すように、外郭体１５の切り欠き部分３１に第１床配置区画１８ａが臨むように回転表示体１９を配置した、図１に示すもとの状態に容易に復帰することになる。
【００２４】
したがって、本実施形態の床配置表示ツール１０によれば、一般の階層の床高さとは異なる高さの床を備える住宅の床配置を、複数の床配置プランとして立体的に表示可能とすると共に、これらの床配置プランを、側面板１２ａ，１２ｂに表示した基準外観２１や基準床配置２２と対比させて各々見比べながら、床配置に関するユーザーのニーズを的確に把握したり、ユーザーのニーズに合った床配置プランを迅速かつ効果的に選び出すことが可能になる。
【００２５】
また、本実施形態によれば、回転表示体１９は、屋根部１１を着脱して外郭体１５に交換可能に収容されるので、他の床配置プランを表示した回転表示体１９と適宜置き換えることにより、さらに多くの床配置プランについて詳細に検討することが可能になる。
【００２６】
なお、本発明は上記実施形態に限定されることなく種々の変更が可能である。例えば、本発明の床配置表示ツールは、枠組み壁工法による２階立てのユニュト住宅に限定されることなく、その他の工法による住宅建築物や３階建て以上の住宅建築物に適用して用いることもできる。また、外郭体は正方形の平面形状を有している必要は必ずしもなく、回転表示体１９は、仕切板によって３箇所又は５箇所以上の床配置区画に仕切られていても良い。
【図面の簡単な説明】
【００２７】
【図１】本発明の一実施形態に係る床配置表示ツールを側方から視た斜視図である。
【図２】本発明の一実施形態に係る床配置表示ツールを斜め上方から視た斜視図である。
【図３】本発明の一実施形態に係る床配置表示ツールを用いて各床配置プランを表示する状況を説明する斜視図である。
【図４】本発明の一実施形態に係る床配置表示ツールを用いて各床配置プランを表示する状況を説明する斜視図である。
【図５】本発明の一実施形態に係る床配置表示ツールを用いて各床配置プランを表示する状況を説明する斜視図である。
【図６】本発明の一実施形態に係る床配置表示ツールを用いて各床配置プランを表示する状況を説明する斜視図である。
【図７】本発明の一実施形態に係る床配置表示ツールを用いて各床配置プランを表示する状況を説明する斜視図である。
【図８】本発明の一実施形態に係る床配置表示ツールを用いて各床配置プランを表示する状況を説明する斜視図である。
【図９】本発明の一実施形態に係る床配置表示ツールを用いて各床配置プランを表示する状況を説明する斜視図である。
【符号の説明】
【００２８】
１０  床配置表示ツール
１１  屋根部
１２ａ，１２ｂ  側面板
１３ａ，１３ｂ  切断線
１４  周壁部
１５  外郭体
１６  中心軸
１７  仕切板
１８ａ，１８ｂ，１８ｃ，１８ｄ  床配置区画
１９  回転表示体
２０  一立辺
２１  基準外観
２２  基準床配置
２３  板片
２４  外郭体の底盤部
２５  回転軸
２６  回転基盤プレート
３０  基準床配置表示片
３１  切り欠き部分
３２ａ，３３ａ，３４ａ，３５ａ  １階の居室部分
３２ｂ，３３ｂ，３４ｂ，３５ｂ  収納スペース
３２ｃ，３３ｃ，３４ｃ，３５ｃ  ２階の居室部分
３２ｄ  ロフト
【図１】
2006071676.tif 000003
【図２】
2006071676.tif 000004
【図３】
2006071676.tif 000005
【図４】
2006071676.tif 000006
【図５】
2006071676.tif 000007
【図６】
2006071676.tif 000008
【図７】
2006071676.tif 000009
【図８】
2006071676.tif 000010
【図９】
2006071676.tif 000011